(57)【要約】【課題】複数のフック部に引っ掛けられるスクリーンの傾きを抑制することが可能な巻取装置を提供する。【解決手段】巻取装置１は、スクリーン１０と、該スクリーン１０を収納方向Ｄ２１へ付勢する巻取部３０と、引き出されたスクリーン１０の引出端２０に沿う位置Ｐ１において間隔を空けて車両の固定対象１０１に固定される複数のフック部５０と、を備える。スクリーン１０は、複数のフック部５０に引っ掛けるための引掛部２２を引出端２０に有する。フック部５０は、引っ掛けられた引掛部２２が最終的に保持される最終保持位置Ｐ２において該引掛部２２から収納方向Ｄ２１へ加わる力により収納方向Ｄ２１へ弾性変形して該引掛部２２に反発力を加えながら該引掛部２２の収納方向Ｄ２１への移動を許容するための弾性部８０を有する。【選択図】図１０
2016112937.tif 000002
【特許請求の範囲】
【請求項１】
スクリーンと、該スクリーンを収納方向へ付勢する巻取部と、引き出された前記スクリーンの引出端に沿う位置において間隔を空けて車両の固定対象に固定される複数のフック部と、を備え、前記複数のフック部に引っ掛けるための引掛部を前記スクリーンが前記引出端に有する巻取装置であって、
前記フック部は、引っ掛けられた前記引掛部が最終的に保持される最終保持位置において該引掛部から前記収納方向へ加わる力により前記収納方向へ弾性変形して該引掛部に反発力を加えながら該引掛部の前記収納方向への移動を許容するための弾性部を有する、巻取装置。
【請求項２】
前記フック部は、引っ掛けられた前記引掛部を開放端から前記最終保持位置の方へ誘導する本体部を有し、
該本体部は、前記最終保持位置において前記引掛部を挿入可能に前記収納方向へ凹んだ凹部を有し、
前記弾性部は、前記凹部内で前記引掛部と接触する、請求項１に記載の巻取装置。
【請求項３】
前記本体部は、前記凹部が形成された主部材と、該主部材に取り付けられる副部材と、を有し、
前記弾性部は、前記副部材に取り付けられる弾性部材であり、
前記凹部には、前記副部材が前記主部材に取り付けられる方向へ挿入される挿通部が形成され、
前記主部材は、前記固定対象と係合する固定対象係合部を有し、
前記挿通部に挿入された前記副部材が前記主部材の固定対象係合部と前記固定対象との係合を補強している、請求項２に記載の巻取装置。
【請求項４】
前記弾性部は、前記本体部に取り付けられる弾性部材であり、
前記本体部は、前記収納方向、及び、前記スクリーンの引出方向とは異なる方向から前記弾性部材が挿入される弾性部材取付部を有する、請求項２又は請求項３に記載の巻取装置。
【請求項５】
前記弾性部は、前記最終保持位置にある前記引掛部に向かって凸とされ該引掛部と接触する凸部を有する、請求項１〜請求項４のいずれか一項に記載の巻取装置。
【発明の詳細な説明】
【技術分野】
【０００１】
本発明は、自動車内等に設置される巻取装置に関する。
【背景技術】
【０００２】
車両用ドア等には、防眩のために可撓性のサンシェード（スクリーン）で直射日光を遮ったり、車内のプライバシーをサンシェードで確保したりするためにサンシェード装置が設けられることがある。また、自動車の荷室には、荷室の上部を可撓性のトノカバー（スクリーン）で覆うためにトノカバー装置が設けられることがある。サンシェード装置やトノカバー装置等といった巻取装置のスクリーンの引出端は、使用時、例えば、車体に取り付けられた複数のフックに引っ掛けられる。
【０００３】
特許文献１に示される巻取式間仕切り装置は、パーテーションネットと、パーテーションネットの巻取装置からの引出しを終了した後は下方への移動のみを許容するロック機構と、下方への移動を阻止するようにパーテーションネットの支持軸を載置する障壁部を有する複数のフック状保持部と、各フック状保持部に設けられていて最も上の離脱不能位置と最も下の離脱可能位置とに変位する変位レバーとを備えている。各フック状保持部は、ルーフパネルにねじで固定されている。支持軸が最終的に保持される位置にあるとき、変位レバーは最も上の離脱不能位置にあり、支持軸は載置されている障壁部と接触しているため変位レバーを押し下げることができない。
【先行技術文献】
【特許文献】
【０００４】
【特許文献１】特開２０００−５２８７２号公報
【発明の概要】
【発明が解決しようとする課題】
【０００５】
各フック状保持部をルーフパネルにねじで固定すると、フック状保持部の固定位置がばらつくことがある。すると、パーテーションネットの幅方向において、比較的高い障壁部に支持軸が載置された側のパーテーションネットは張った状態となる一方、比較的低い障壁部に支持軸が載置された側のパーテーションネットは弛んだ状態となる。場合により、比較的低い障壁部に支持軸が載置された側のパーテーションネットが波打った状態になることがある。
尚、上述した問題は、サンシェード装置やトノカバー装置等、上記間仕切り装置以外の巻取装置にも存在する。
【０００６】
本発明は、複数のフック部に引っ掛けられるスクリーンの傾きを抑制することが可能な巻取装置を提供する目的を有している。
【課題を解決するための手段】
【０００７】
本発明は、スクリーンと、該スクリーンを収納方向へ付勢する巻取部と、引き出された前記スクリーンの引出端に沿う位置において間隔を空けて車両の固定対象に固定される複数のフック部と、を備え、前記複数のフック部に引っ掛けるための引掛部を前記スクリーンが前記引出端に有する巻取装置であって、
前記フック部は、引っ掛けられた前記引掛部が最終的に保持される最終保持位置において該引掛部から前記収納方向へ加わる力により前記収納方向へ弾性変形して該引掛部に反発力を加えながら該引掛部の前記収納方向への移動を許容するための弾性部を有する、態様を有する。
【発明の効果】
【０００８】
本発明によれば、複数のフック部に引っ掛けられるスクリーンの傾きを抑制することが可能な巻取装置を提供することができる。
【図面の簡単な説明】
【０００９】
【図１】巻取装置を組み付けたサイドドアの例を車室側から模式的に示す図。
【図２】巻取装置の例を模式的に示す図。
【図３】フック部の例を示す斜視図。
【図４】主部材、副部材、及び、弾性部材の例を示す分解斜視図。
【図５】副部材、及び、弾性部材の例を示す分解斜視図。
【図６】弾性部材を取り付けた副部材の例を一部断面視して示す平面図。
【図７】スクリーンの引掛部をフック部に引っ掛けた様子を例示する垂直断面図。
【図８】スクリーンの引掛部が開放端から最終保持位置の方へ誘導される例を模式的に示す図。
【図９】弾性部とスクリーンの引掛部とに加わる力の例を模式的に示す図。
【図１０】スクリーンの傾きが抑制される例を模式的に示す図。
【図１１】フック部の変形例を模式的に示す側面図。
【図１２】（ａ），（ｂ）はフック部の変形例を模式的に示す斜視図。
【図１３】比較例の保持部を模式的に示す側面図。
【発明を実施するための形態】
【００１０】
以下、本発明の実施形態を説明する。むろん、以下の実施形態は本発明を例示するものに過ぎず、実施形態に示す特徴の全てが発明の解決手段に必須になるとは限らない。
【００１１】
（１）本技術の概要：
まず、図１〜１２を参照して本技術の概要を説明する。尚、図１〜１２は模式的に示す図であり、これらの図に示される各方向の拡大率は異なることがあり、各図は整合していないことがある。
【００１２】
巻取装置１は、基本要素として、スクリーン１０と、該スクリーン１０を収納方向Ｄ２１へ付勢する巻取部３０と、引き出された前記スクリーン１０の引出端２０に沿う位置Ｐ１において間隔を空けて車両の固定対象１０１（例えばフレーム１０４）に固定される複数のフック部５０と、を備える。前記スクリーン１０は、前記複数のフック部５０に引っ掛けるための引掛部２２を前記引出端２０に有する。前記フック部５０は、引っ掛けられた前記引掛部２２が最終的に保持される最終保持位置Ｐ２において該引掛部２２から前記収納方向Ｄ２１へ加わる力により前記収納方向Ｄ２１へ弾性変形して該引掛部２２に反発力を加えながら該引掛部２２の前記収納方向Ｄ２１への移動を許容するための弾性部８０を有する。
【００１３】
最終保持位置Ｐ２においてスクリーン１０の引掛部２２から収納方向Ｄ２１への比較的強い力（例えば図９に示す力Ｆ２１）がフック部５０の弾性部８０に加わるとき、該弾性部８０は比較的大きく弾性変形し、スクリーン１０の引掛部２２が収納方向Ｄ２１へ比較的大きく移動した状態でフック部５０に保持される。一方、最終保持位置Ｐ２においてスクリーン１０の引掛部２２から収納方向Ｄ２１への比較的弱い力（例えば図９に示す力Ｆ１１）がフック部５０の弾性部８０に加わるとき、該弾性部８０の弾性変形が比較的小さくなり、フック部５０に保持される引掛部２２の収納方向Ｄ２１への移動量が比較的小さくなる。尚、弾性変形が比較的小さいことには弾性変形しないことが含まれ、移動量が比較的小さいことには移動しないことが含まれる。
【００１４】
ここで、固定対象１０１に固定されたフック部５０の位置がばらつき、収納方向Ｄ２１における設計位置を基準として比較的スクリーン１０の引出側に固定されたフック部５０（例えば図１０に示すフック部５０Ｂ）と比較的スクリーン１０の収納側に固定されたフック部５０（例えば図１０に示すフック部５０Ａ）とが複数のフック部５０に含まれるものとする。比較的引出側のフック部５０に引っ掛けられた引掛部２２（例えば図１０に示す引掛部２２Ｂ）は、最終保持位置Ｐ２において収納方向Ｄ２１への比較的強い力（例えば図９に示す力Ｆ２１）を弾性部８０に加えるため、弾性部８０の比較的大きな弾性変形により収納方向Ｄ２１へ比較的大きく移動している。一方、比較的収納側のフック部５０に引っ掛けられた引掛部２２（例えば図１０に示す引掛部２２Ａ）は、最終保持位置Ｐ２において収納方向Ｄ２１への比較的弱い力（例えば図９に示す力Ｆ１１）しか弾性部８０に加えないため、弾性部８０の比較的小さい弾性変形により収納方向Ｄ２１への移動量が比較的小さい。
【００１５】
以上より、収納方向Ｄ２１において、比較的引出側のフック部５０に引っ掛けられる引掛部２２の設計位置からのずれと、比較的収納側のフック部５０に引っ掛けられる引掛部２２の設計位置からのずれと、の差が少なくなる。従って、本技術は、複数のフック部に引っ掛けられるスクリーンの傾きを抑制することが可能な巻取装置を提供することができる。これに対して特開2000-52872号公報に示される比較例では、図１３に示すように、支持軸の最終保持位置において支持軸が上下に移動することができない。このため、ルーフパネルに固定された複数のフック状保持部がばらつくと、パーテーションネットが傾いた状態で保持されてしまう。尚、保持部に取り付けられた変位レバーは、図１３に示す状態が最も上の位置であり、支持軸に対して上方への力を加えることができない。
【００１６】
ここで、スクリーンは、シェード、ブラインド、シート、等を含む概念であり、具体的には、サンシェード、トノカバー、等が含まれる。
スクリーンの引出端は、スクリーンの厳密な先端縁のみならず、スクリーンの収納方向及び引出方向において引掛部が含まれる範囲を有する部位とする。例えば、スクリーンのうち先端縁を含む部位にガーニッシュが形成される場合、このガーニッシュはスクリーン引出端に含まれるものとする。
最終保持位置は、引き出されたスクリーンと直交する方向をスクリーン直交方向（例えば図７に示す厚み方向Ｄ３）とするとき、フック部に引っ掛けられた引掛部がスクリーン直交方向への移動を停止する位置を意味する。
弾性部には、ばね、ゴム、エラストマー、等が含まれる。ばねには、板ばね、コイルばね、等が含まれる。
【００１７】
ところで、前記フック部５０は、引っ掛けられた前記引掛部２２を開放端６５から前記最終保持位置Ｐ２の方へ誘導する本体部５１を有してもよい。該本体部５１は、前記最終保持位置Ｐ２において前記引掛部２２を挿入可能に前記収納方向Ｄ２１へ凹んだ凹部６６を有してもよい。前記弾性部８０は、前記凹部６６内で前記引掛部２２と接触してもよい。本態様は、フック部５０に引っ掛けられた引掛部２２が開放端６５から最終保持位置Ｐ２の方へ誘導されて凹部６６内で弾性部８０と接触するので、複数のフック部に引っ掛けられるスクリーンの傾きを抑制する好適な構造を提供することができる。
【００１８】
前記本体部５１は、前記凹部６６が形成された主部材６０と、該主部材６０に取り付けられる副部材７０と、を有してもよい。前記弾性部８０は、前記副部材７０に取り付けられる弾性部材８１でもよい。前記凹部６６には、前記副部材７０が前記主部材６０に取り付けられる方向（副部材挿入方向Ｄ２４）へ挿入される挿通部６７が形成されてもよい。前記主部材６０は、前記固定対象１０１と係合する固定対象係合部６１ａを有してもよい。前記挿通部６７に挿入された前記副部材７０は、前記主部材６０の固定対象係合部６１ａと前記固定対象１０１との係合を補強してもよい。本態様は、主部材６０に取り付けられた副部材７０により主部材６０の固定対象係合部６１ａと固定対象１０１との係合が補強されるので、固定対象に固定されるフック部の好適な構造を提供することができる。むろん、本技術は、本体部が主部材と副部材とに分かれていない場合も含む。
【００１９】
前記弾性部８０は、前記本体部５１に取り付けられる弾性部材８１でもよい。前記本体部５１は、前記収納方向Ｄ２１、及び、前記スクリーン１０の引出方向Ｄ２２とは異なる方向（例えば図４に示す弾性部材挿入方向Ｄ２３）から前記弾性部材８１が挿入される弾性部材取付部７２を有してもよい。本態様は、スクリーン１０の収納方向Ｄ２１及び引出方向Ｄ２２とは異なる方向から弾性部材８１を本体部５１に挿入することができるので、本体部に弾性部材を取り付ける好適な構造を提供することができる。むろん、本技術は、スクリーンの収納方向又は引出方向から弾性部材が本体部に挿入される場合も含む。
【００２０】
前記弾性部８０は、前記最終保持位置Ｐ２にある前記引掛部２２に向かって凸とされ該引掛部２２と接触する凸部８６を有してもよい。この態様は、弾性部８０の凸部８６と引掛部２２とが接触し易いので、複数のフック部に引っ掛けられるスクリーンの傾きを抑制する好適な構造を提供することができる。むろん、本技術は、最終保持位置にある引掛部と接触する部分の弾性部が平坦である場合等も含む。
【００２１】
（２）巻取装置の具体例：
図１は、巻取装置１を自動車１００のドア１０２のサンシェード装置として使用する例を示している。尚、FRONT、REAR、UP、DOWNは、それぞれ、前、後、上、下を示す。図１に示す自動車１００は、道路上で使用されるように設計及び装備された路上走行自動車とされ、前席及び後席を囲む車室Ｃ１が形成された乗用自動車とされている。車室Ｃ１の側面部には、ドア１０２及びピラー１０３が配置されている。図１に示すドア１０２は後席のサイドドアであり、図１に示すピラー１０３は前席のサイドドアと後席のサイドドアとの間のセンターピラーである。ドア１０２は、図示されないドアパネル、ドアトリム１０５、ドアウィンドウ１０６、等が設けられている。ドアパネルは、鋼板製といった金属製の車体パネルの一種である。トリム１０５は、車体パネルの車室Ｃ１側に装着される内装材であり、熱可塑性樹脂といった樹脂材料を射出成形等により成形した成形品、樹脂材料の内装基材に不織布、織物、編物、といった表皮材を積層したもの、等を用いることができる。
【００２２】
図１に示す巻取装置１は、サンシェード装置としてドア１０２に組み付けられている。巻取装置は、遮蔽装置やシェード装置やブラインド装置と呼ばれるものを含む。図１に示す巻取装置１はドアトリム１０５の車外面に取り付けられ、スクリーン１０の収納方向Ｄ２１が略下方であり、スクリーン１０の引出方向Ｄ２２が略上方である。収容方向Ｄ２１と引出方向Ｄ２２とは互いに反対の方向である。巻取部３０から引き出されたスクリーン１０の引出端２０の引掛部２２をフック部５０に引っ掛けると、図１に二点鎖線で示すようにドアウィンドウ１０６がスクリーン１０でほぼ覆われた状態となる。これにより、巻取装置１は、乗員の防眩のために太陽光を遮ったり、プライバシーの保護や駐車時の防犯のために車外からの視認性を低下させたりする。
【００２３】
図２は、巻取装置１の例を模式的に示し、巻取部３０の要部を拡大した断面図も示している。尚、符号ＡＸ１は筒状部３１の回転軸を示し、符号Ｄ１は筒状部３１の軸方向を示し、符号Ｄ２はガーニッシュ２１の長手方向を示し、符号Ｄ２ａは長手方向Ｄ２の一方側（図２の左側）を示し、符号Ｄ２ｂは長手方向Ｄ２の他方側（図２の右側）を示している。
【００２４】
スクリーン１０は、遮蔽シート、ブラインドシート、等とも呼ばれ、透過光の少なくとも一部を遮る。スクリーン１０の本体部分１１は、巻取部３０の筒状部３１の外周面上に巻取可能な柔軟性を有する薄い材料で形成され、例えば、遮光性５０〜９０％程度で可撓性を有する軟質材料を所要の形状に裁断することにより形成される。本体部分１１は、網目を有する材料でもよいし、網目の無いシート状材料でもよく、ポリエステル織物といった布、樹脂材料を用いたレザー、樹脂材料を成形したシート、等を用いることができる。また、本体部分１１は、半透明シート、紫外線を遮断する透明シート、等でもよい。紫外線等も、透過光に含まれる。本体部分１１の一端１２は、両面テープといった固定手段で筒状部３１の外周面に留められている。本体部分１１の先端縁（他端１３）には、本体部分１１よりも硬質、且つ、肉厚のガーニッシュ２１が形成されている。
【００２５】
ガーニッシュ２１は、スクリーン１０の引出端２０にあり、長手方向Ｄ２の中間部に操作部２５を有し、長手方向一方側Ｄ２ａの端部と操作部２５との間に引掛部２２Ａを有し、長手方向他方側Ｄ２ｂの端部と操作部２５との間に引掛部２２Ｂを有している。尚、引掛部２２Ａ，２２Ｂを引掛部２２と総称する。操作部２５はレバー状であり、操作部２５を手等で摘むことによって、巻取部３０からスクリーン１０を引き出してフック部５０に引っ掛けたり、フック部５０からスクリーン１０を外して巻取部３０に巻き取らせたりすることができる。操作部２５には、サーモポリオレフィン（ＴＰＯ）の射出成形品といった樹脂成形品等を用いることができる。引掛部２２は、スクリーン引出端２０のうちフック部５０に引っ掛けるための部位である。図１に示すように、長手方向一方側Ｄ２ａの引掛部２２Ａはフック部５０Ａに引っ掛けられ、長手方向他方側Ｄ２ｂの引掛部２２Ｂはフック部５０Ｂに引っ掛けられる。尚、フック部５０Ａ，５０Ｂをフック部５０と総称する。図２に示す引掛部２２は、ガーニッシュ２１に形成され、図３に示すフック部５０の折曲部６４を通すようにスクリーン１０の厚み方向Ｄ３（図７参照）へ貫通した穴とされている。
【００２６】
ガーニッシュ２１を形成するためのガーニッシュ部材を本体部分１１に取り付ける場合、ガーニッシュ部材には、棒状の部材、筒状の部材、板状の部材、等を用いることができ、合成樹脂の射出成形品といった成形品等を用いることができる。また、ガーニッシュ２１は、本体部分１１の先端縁（他端１３）を袋状に形成して中に芯材を挿入した構造等でもよい。
【００２７】
図２に示す巻取部３０は、筒状部３１、支軸部３３、軸受け部３２、ばね３６（付勢部３５）、を有し、ばね３６の付勢力によりスクリーン本体部分１１を巻取可能である。
筒状部３１は、両端が開口した長尺な部材であり、トリム１０５とハーフケース４０との間で長手方向（軸方向Ｄ１）に沿った回転軸ＡＸ１を中心として回転可能に配置され、外周面上にスクリーン本体部分１１を巻取可能である。尚、筒状部３１は、バレル部材等とも呼ばれる。スクリーン本体部分を外周面上に巻き取るための部材は、筒状部３１のように円筒状といった筒状でもよいし、円柱状といった棒状でもよい。筒状体の材質には、アルミニウムといった金属、熱可塑性樹脂といった合成樹脂、等を用いることができる。円筒状の筒状部の大きさは、特に限定されず、例えば、内径を４〜２０ｍｍ程度、外径を６〜３０ｍｍ程度とすることができる。
【００２８】
支軸部３３は、筒状部３１の一端３１ａに取り付けられた部材であり、ケース４０の長手方向（軸方向Ｄ１）における一方の壁部４１の軸受け部４１ａに挿入され、壁部４１に対して回転可能に支持されている。支軸部３３は、筒状部３１に対して回転しないように嵌め込まれている。軸受け部３２は、筒状部３１の他端３１ｂに取り付けられた部材であり、ケース４０の長手方向（Ｄ１）における他方の壁部４２に固定され、外側に筒状部３１が回転可能に嵌められている。筒状部３１の開口に挿入された部分の軸受け部３２には、コイルばねであるばね３６の一端が固定されている。コイルばねは、コイルスプリング、つる巻きばね、等とも呼ばれる。ばね３６の他端は、掛止部３１ｃに固定されている。この掛止部３１ｃは、筒状部３１に挿入されて固定された部材である。ばね３６は、スクリーン１０を収納方向Ｄ２１へ付勢する。通常、付勢部３５を有する巻取部３０は、ケース４０にスクリーン１０が収納されてもスクリーン１０に巻取方向への付勢力を加える状態でケース４０に取り付けられる。
【００２９】
尚、付勢部は、筒状部３１の内周側に配置される以外にも、筒状部の外周側、筒状体の長手方向における端部の外側、等に配置されてもよい。付勢部は、筒状部３１から独立したユニットでもよく、筒状部に挿入される内ばねユニットでもよいし、筒状部の外側に取り付けられる外ばねユニットでもよい。付勢部は、渦巻きばね、エラストマーやゴムといった弾性部材、等でもよい。
【００３０】
図２に示すハーフケース４０は、スクリーン本体部分１１を引き出すための引出口４０ａを有し、トリム１０５と車体パネルとの間でねじといった締結手段でトリム１０５に固定される。ケース４０とトリム１０５との間には、巻取部３０が収容される。ケース４０は、巻取装置１のハウジング部分の一部を構成する半割体であって、スクリーン１０等の構成部品が予め組み付けられてユニット化されてもよい。ケース４０には、合成樹脂の射出成形品といった成形品等を用いることができる。
【００３１】
図１に示す複数のフック部５０は、引き出されたスクリーン１０の引出端２０に沿う位置Ｐ１、具体的にはドアウィンドウの上縁部付近において間隔を空けて配置されている。図１にはフック部５０が２個であることが示されているが、フック部５０は３個以上でもよい。本具体例のフック部５０Ａ，５０Ｂは同じ構造であるので、以下に示す図３〜７ではフック部５０Ａ，５０Ｂを共通のフック部５０として説明する。
【００３２】
図３は、主部材６０、副部材７０、及び、弾性部材８１（弾性部８０）を組み合わせたフック部５０の開放端６５側の例を示している。図４は、主部材６０、副部材７０、及び、弾性部材８１の例を示している。尚、符号Ｄ２３は、副部材７０に対して弾性部材８１を挿入する方向である弾性部材挿入方向を示している。符号Ｄ２４は、主部材６０に対して副部材７０を挿入する方向である副部材挿入方向を示している。図５は、別の角度から副部材７０、及び、弾性部材８１の例を示している。図６は、弾性部材８１を取り付けた副部材７０の例を一部断面視して示している。尚、符号Ｄ２５は、弾性部材８１の固定部８３の幅方向である。この幅方向Ｄ２５は、スクリーン１０の収納方向Ｄ２１及び引出方向Ｄ２２、並びに、弾性部材挿入方向Ｄ２３と直交している。図７は、スクリーン１０の引掛部２２をフック部５０に引っ掛けた様子を例示している。図８は、フック部５０に引っ掛けられたスクリーン引掛部２２が開放端６５から最終保持位置Ｐ２の方へ誘導される例を模式的に示している。最終保持位置Ｐ２は、フック部５０に引っ掛けられた引掛部２２が最終的に保持される位置である。図９は、弾性部材８１とスクリーン引掛部２２とに加わる力の例を模式的に示している。
【００３３】
図７に示す巻取装置１は、矢印ＡＲ１に示すように車外Ｏ１側から車室Ｃ１側へスクリーン引掛部２２を動かしてフック部５０に引っ掛ける仕様である。むろん、本技術は、車室側から車外側へスクリーン引掛部を動かしてフック部に引っ掛ける場合等にも適用可能である。
【００３４】
図７等に示すフック部５０は、本体部５１と弾性部材８１（弾性部８０）を有する。本体部５１は、引っ掛けられたスクリーン引掛部２２を開放端６５から最終保持位置Ｐ２の方へ誘導する。図９に示すように、弾性部材８１は、最終保持位置Ｐ２において引掛部２２から収納方向Ｄ２１へ加わる力（例えば力Ｆ２１）により収納方向Ｄ２１へ弾性変形して引掛部２２に反発力（例えば力Ｆ４２）を加えながら引掛部２２の収納方向Ｄ２１への移動を許容する。本技術の本体部５１には、引掛部２２の最終保持位置Ｐ２において引掛部２２が収納方向Ｄ２１及び引出方向Ｄ２２へ移動可能な空間（好ましくは１．０mm以上、より好ましくは１．５mm以上、さらに好ましくは２．０mm以上、移動可能な空間）を有する特徴がある。これに対して特開2000-52872号公報に示される比較例では、図１３に示すように、支持軸の最終保持位置において支持軸の上下移動が許容される空間が無い。また、保持部に取り付けられた変位レバーは、最終保持位置において保持部から上に出ることができず、支持軸に対して上方への力を加えることができない。
【００３５】
図４等に示す本体部５１は、主部材６０と副部材７０を有している。主部材６０には、最終保持位置Ｐ２においてスクリーン引掛部２２を挿入可能に収納方向Ｄ２１へ凹んだ凹部６６が形成されている。副部材７０は、主部材６０に対して取り外し可能に取り付けられる。
【００３６】
主部材６０は、図７に示すような金属製フレーム１０４（固定対象１０１）と係合する係合機能、及び、引っ掛けられたスクリーン引掛部２２を保持する引掛部保持機能を有する。図４等に示す主部材６０には、壁部６１〜６３、折曲部６４、開放端６５、凹部６６、挿通部６７、が形成されている。引っ掛けられたスクリーン引掛部２２から上（引出側）にある引出側壁部６１には、固定対象係合部６１ａに繋がる貫通穴６１ｈが形成されている。固定対象係合部６１ａは、フレーム１０４の貫通穴１０４ｈを貫通した状態でフレーム１０４と係合する。引出側壁部６１の穴６１ｈは、主部材６０に副部材７０が取り付けられる方向である副部材挿入方向Ｄ２４へ貫通している。開放端６５とは反対側の奥側壁部６２は、引っ掛けられたスクリーン引掛部２２を最終保持位置Ｐ２に規制する。引っ掛けられたスクリーン引掛部２２から下（収納側）にある収納側壁部６３には、副部材挿入方向Ｄ２４へ貫通した挿通部６７が形成されている。折曲部６４は、開放端６５において収納側壁部６３から上側（引出側）へ延出している。折曲部６４と引出側壁部６１との間には、スクリーン引掛部２２を通すための隙間が形成されている。折曲部６４と壁部６２，６３とにより最終保持位置Ｐ２においてスクリーン引掛部２２を挿入可能に収納方向Ｄ２１へ凹んだ凹部６６が形成され、この凹部６６に挿通部６７が形成されている。挿通部６７は、貫通穴であり、副部材７０が副部材挿入方向Ｄ２４へ挿入される。
【００３７】
副部材７０は、弾性部材８１を保持する弾性部材保持機能、及び、主部材６０と固定対象１０１との係合を補助する補助機能を有する。図４，５等に示す副部材７０には、挿入基部７１、弾性部材取付部７２、係合補助部７８、が形成されている。挿入基部７１は、マイナスドライバーといった工具を差込可能な溝７１ａを有し、主部材の挿通部６７に対して挿入されて取り外し可能に嵌合する。弾性部材取付部７２には、スクリーン１０の収納方向Ｄ２１及び引出方向Ｄ２２とは異なる弾性部材挿入方向Ｄ２３へ貫通した穴７２ｈが形成されている。本具体例の弾性部材挿入方向Ｄ２３は、引き出されたスクリーン１０に対して直交する厚み方向Ｄ３に近い方向とされている。穴７２ｈには、弾性部材挿入方向Ｄ２３から弾性部材８１が挿入される。弾性部材取付部７２は、穴７２ｈの内面部分に位置決め部７２ａとストッパー７２ｓを有している。図６等に示す位置決め部７２ａは、穴７２ｈに挿入された弾性部材８１の固定部８３の幅方向Ｄ２５において固定部８３を挟む両側に形成されている。ストッパー７２ｓは、幅方向Ｄ２５において位置決め部７２ａ，７２ａの間に形成されている。係合補助部７８は、挿入基部７１から副部材挿入方向Ｄ２４へ突出し、主部材６０の引出側壁部６１の穴６１ｈに挿入され、主部材６０の固定対象係合部６１ａとフレーム１０４との係合を補強する。
【００３８】
尚、主部材６０と副部材７０には、合成樹脂の射出成形品といった成形品等を用いることができる。この合成樹脂には、ポリアミド、ポリプロピレン（ＰＰ）、ポリアセタール（ＰＯＭ）、ポリブチレンテレフタレート（ＰＢＴ）、といった熱可塑性樹脂等を用いることができる。これらの樹脂に補強用繊維等といった添加材が添加されてもよい。
【００３９】
弾性部材８１（弾性部８０）は、引き出されたスクリーン１０のバランスを取る傾き抑制機能を有する。図４，５等に示す弾性部材８１は、固定部８３と可動部８５が折返し部８２で折り返された形状の板ばねとされ、副部材７０の弾性部材取付部７２に取り付けられる。弾性部材取付部７２に取り付けられた弾性部材８１の折返し部８２は、副部材７０が主部材６０に取り付けられたときに主部材６０の奥側壁部６２と接触して主部材６０から副部材７０が抜けないようにする。固定部８３は、幅方向Ｄ２５の両縁部に切欠部８３ａ，８３ａが形成され、幅方向Ｄ２５の中間部に厚み方向へ貫通した係合穴８３ｈが形成されている。副部材７０の弾性部材取付部７２に弾性部材８１を挿入していくと、位置決め部７２ａ，７２ａにより幅方向Ｄ２５において固定部８３が位置決めされる。また、切欠部８３ａ，８３ａが位置決め部７２ａ，７２ａに突き当たると弾性部材挿入方向Ｄ２３において固定部８３が位置決めされ、係合穴８３ｈにストッパー７２ｓが嵌入して、副部材７０と弾性部材８１とが嵌合する。可動部８５は、主部材６０の凹部６６内でスクリーン引掛部２２と接触し、折返し部８２を中心としてスクリーン１０の収納方向Ｄ２１へ弾性変形可能である。図７等に示す可動部８５は、平坦面から最終保持位置Ｐ２にある引掛部２２に向かって略半球状に膨出して凹部６６内で引掛部２２と接触する凸部８６を有している。図７に示す凸部８６の頂部は、開放端６５の開口部分よりもスクリーン収納側とされている。尚、図７には、凸部８６を有する可動部８５が弾性変形した様子を二点鎖線で示している。図７に示すように凸部８６が引掛部２２に向かって凸とされているので、可動部８５と引掛部２２とが接触し易くなり、弾性部材８１が弾性変形に対する反発力を引掛部２２に加え易くなる。
【００４０】
弾性部８０の弾性の強さ（ばね定数等）は、例えば、巻取部３０からスクリーン１０に加わる付勢力が引掛部２２から弾性部８０に加わったときに加わらないときと比べて０．８〜３．０mm程度（より好ましくは１．０〜２．０mm程度）弾性変形する強さとすることができる。スクリーン１０に加わる重力だけが引掛部２２から弾性部８０に加わったときに弾性部８０が弾性変形しない場合、巻取部３０からスクリーン１０に加わる付勢力が引掛部２２から弾性部８０に加わったときに、例えば、０．８〜３．０mm程度（より好ましくは１．０〜２．０mm程度）弾性変形するように弾性部８０の弾性の強さを設定してもよい。
【００４１】
尚、弾性部材８１には、金属製板ばね、合成樹脂製板ばね、コイルばね、等を用いることができる。また、弾性部は、スクリーン引掛部の下に配置されるばね以外にも、引張コイルばね等、本体部分がスクリーン引掛部の上に配置されるばね等でもよい。
【００４２】
フック部５０は、例えば、以下のようにして固定対象１０１に組み付けることができる。むろん、組付順は、適宜、変更可能である。
まず、フレーム１０４の貫通穴１０４ｈ（図７参照）に主部材６０の固定対象係合部６１ａを挿入し、フレーム１０４と固定対象係合部６１ａとを係合させる。この係合は、フレーム１０４から主部材６０を強く引くと解除される程度の仮の係合である。また、図４，５に示すように、弾性部材８１の固定部８３及び可動部８５を副部材７０の弾性部材取付部７２に挿入して取り付ける。さらに、前記副部材７０を主部材６０の挿通部６７に副部材挿入方向Ｄ２４へ挿入して主部材６０に取り付ける。このとき、副部材７０の係合補助部７８が主部材６０の引出側壁部６１の貫通穴６１ｈに挿入され、フレーム１０４と固定対象係合部６１ａとの係合が補強される。これにより、フレーム１０４からフック部５０を強く引いても穴１０４ｈから抜けなくなる。また、弾性部材８１の可動部８５が主部材６０の凹部６６内に配置され、弾性部材８１の折返し部８２が主部材６０の奥側壁部６２に接触して主部材６０から副部材７０が抜けないようになる。
【００４３】
固定対象１０１に固定されたフック部５０は、例えば、以下のようにして分解することができる。むろん、分解順は、適宜、変更可能である。
まず、副部材７０の溝７１ａに工具を差し込み、そのまま工具で副部材７０を押し下げるようにする。すると、奥側壁部６２に接触していた折返し部８２が挿通部６７から外へ出て主部材６０から副部材７０が外れる。副部材７０に取り付けられている弾性部材８１の固定部８３を例えば工具で持ち上げるようにして奥の方へ押すと、副部材７０から弾性部材８１が外れる。また、フレーム１０４から主部材６０を強く引くと、フレーム１０４から主部材６０が外れる。
【００４４】
図１に示すように引き出された前記スクリーン１０の引出端２０に沿う位置Ｐ１において間隔を空けてフレーム１０４にフック部５０Ａ，５０Ｂを固定すると、これらのフック部５０Ａ，５０Ｂにスクリーン引掛部２２Ａ，２２Ｂを引っ掛けることができる。このとき、例えば、図８に示すように、スクリーン引掛部２２が折曲部６４に接触している途中位置Ｐ３（図８中、引掛部２２を二点鎖線で図示）にあるとき、スクリーン引掛部２２は開放端６５から最終保持位置Ｐ２の方へ誘導される。すると、図９に示すように、最終保持位置Ｐ２において引掛部２２からスクリーン収納方向Ｄ２１への力Ｆ１１，Ｆ２１が弾性部材８１（弾性部８０）に加わる。
【００４５】
図９，１０は、巻取部３０からフック部５０Ａ，５０Ｂまでのスクリーン１０の収納方向Ｄ２１及び引出方向Ｄ２２における距離が設計上、同じである場合において、固定対象１０１に固定されたフック部５０Ａ，５０Ｂの位置がばらついたときの巻取装置１の作用を例示している。図１０に示す例では、フック部５０Ｂが巻取部３０から比較的遠い距離ＬＢ１に配置され、フック部５０Ａが比較的近い距離ＬＡ１に配置された様子が示されている。尚、距離ＬＡ１，ＬＢ１は、弾性部材８１が収納方向Ｄ２１へ弾性変形していないときの巻取部３０からスクリーン引掛部２２Ａ，２２Ｂまでの距離とする。両フック部５０Ａ，５０Ｂが設計位置に固定されていればＬＡ１＝ＬＢ１となるが、図１０に示す例ではＬＡ１＜ＬＢ１となっている。また、図１０には、弾性部材８１が収納方向Ｄ２１へ弾性変形する直前（状態ＳＴ１）において、スクリーン本体部分１１の両縁部のうちスクリーン引掛部２２Ｂ側の縁部１１ｂが張った状態である一方、スクリーン本体部分１１の両縁部のうちスクリーン引掛部２２Ａ側の縁部１１ａが波打った（弛んだ）状態であることが示されている。この場合、図９の上段に示すように、最終保持位置Ｐ２において引掛部２２Ｂから弾性部材８１へ比較的強い力Ｆ２１が加わり、最終保持位置Ｐ２において引掛部２２Ａから弾性部材８１へ比較的弱い力Ｆ１１が加わる。引掛部２２Ｂから加わる力Ｆ２１には、付勢部３５がスクリーン１０に収納方向Ｄ２１へ加える力と、引掛部２２Ｂの部分においてスクリーン１０に加わる重力とがある。引掛部２２Ａから加わる力Ｆ１１には、引掛部２２Ａの部分においてスクリーン１０に加わる重力がある一方、付勢部３５がスクリーン１０に収納方向Ｄ２１へ加える力が無いか少ない。
【００４６】
引掛部２２Ｂから比較的強い力Ｆ２１が加わった弾性部材８１は、図９の下段に示すように、比較的大きく弾性変形し、収納方向Ｄ２１へ比較的大きく移動する。最終的に、引掛部２２Ｂから弾性部材８１に加わる力Ｆ２２（Ｆ２２＜Ｆ２１）と弾性部材８１から引掛部２２Ｂに加わる反発力Ｆ４２とが釣り合う状態で、引掛部２２Ｂがフック部５０Ｂに保持される。一方、引掛部２２Ａから比較的弱い力Ｆ１１が加わった弾性部材８１の弾性変形は比較的小さく、引掛部２２Ａの収納方向Ｄ２１への移動量が比較的小さい。最終的に、引掛部２２Ａから弾性部材８１に加わる力Ｆ１２（Ｆ１２＜Ｆ１１）と弾性部材８１から引掛部２２Ａに加わる反発力Ｆ３２とが釣り合う状態で、引掛部２２Ａがフック部５０Ａに保持される。尚、図９の下段には、弾性部材８１が収納方向Ｄ２１へ弾性変形する直前の引掛部２２Ａ，２２Ｂの位置を二点鎖線で示している。
【００４７】
巻取部３０から比較的遠いフック部５０Ｂに引っ掛けられた引掛部２２Ｂは、最終保持位置Ｐ２において収納方向Ｄ２１への比較的強い力Ｆ２１を弾性部材８１に加えるため、図１０に示すように、収納方向Ｄ２１へ比較的大きく移動する。図１０の下段には、巻取部３０から引掛部２２Ｂまでの距離がＬＢ２（ＬＢ２＜ＬＢ１）まで短くなったことが示されている。一方、巻取部３０から比較的近いフック部５０Ａに引っ掛けられた引掛部２２Ａは、最終保持位置Ｐ２において収納方向Ｄ２１への比較的弱い力Ｆ１１しか弾性部材８１に加えないため、収納方向Ｄ２１への移動量が比較的小さい。図１０の下段には、巻取部３０から引掛部２２Ｂまでの距離がＬＡ２であることが示されている。尚、図１０の上段には、移動後のガーニッシュ２１の位置を二点鎖線で示している。図１０の下段には、弾性部材８１が収納方向Ｄ２１へ弾性変形する直前の弾性部材８１の位置を二点鎖線で示している。
【００４８】
図１０に最終状態ＳＴ２を示すように、収納方向Ｄ２１において、比較的遠いフック部５０Ｂに引っ掛けられた引掛部２２Ｂの巻取部３０からの距離と、比較的近いフック部５０Ａに引っ掛けられた引掛部２２Ａの巻取部３０からの距離と、の差が少なくなっている。従って、本巻取装置１は、複数のフック部に引っ掛けられるスクリーンが設計位置から傾くことを抑制することが可能であり、スクリーン１０の見栄えを向上させることが可能である。
尚、設計上、巻取部３０からの距離が異なる位置において引っ掛けられた引掛部２２から弾性部８０に加わる力が揃うようにフック部５０Ａ，５０Ｂが固定されている場合、「（１）本技術の概要」で説明したようにフック部５０Ａ，５０Ｂの設計位置を基準として作用を説明することができる。
【００４９】
（３）変形例：
本発明は、種々の変形例が考えられる。
サンシェード装置は、サイドウィンドウ、リヤウィンドウ、ルーフウィンドウ、フロントウィンドウ、等に設置することができる。スクリーンの引出方向は、上方以外にも、下方、左方、右方、前方、後方、等でもよい。巻取装置は、サンシェード装置以外にも、トノカバー装置、車内の空間を例えば前後に仕切る間仕切り装置、等でもよい。
フック部の固定対象は、フレーム以外の車体パネル、内装材、等でもよい。
【００５０】
スクリーンの引掛部は、貫通穴以外にも、貫通していない凹んだ穴、スクリーンの縁部から突出した部位、等でもよい。
フック部は、引き出されたスクリーンの引出端に沿う位置において間隔を空けて固定対象に３箇所以上、固定されてもよい。この場合も、同様の作用により、複数のフック部に引っ掛けられるスクリーンの傾きを抑制する効果が得られる。
弾性部の凸部は、略半球状に膨出した形状以外にも、略四角柱といった略多角柱状に膨出ないし突出した形状、ガーニッシュの長手方向Ｄ２に中心軸を向けて略半円柱状に膨出した形状、等でもよい。また、スクリーン引掛部と接触する部分の弾性部が平坦面等、弾性部に凸部が無くても、本技術の基本的な効果が得られる。
弾性部は、フック部の本体部５１とは別の弾性部材とする以外にも、本体部と一体的に形成されてもよい。
【００５１】
図１１及び図１２（ａ）は、フック部５０の変形例を示している。尚、変形例を示す図において図１〜１０で示した具体例と同様の箇所には同じ符号を付して説明を省略する。
本変形例のフック部５０の弾性部８０は、本体部５１と一体成形された板状の樹脂ばね部１８０を有している。この樹脂ばね部１８０は、本体部５１の折曲部６４と接続した末端部１８１から奥側壁部６２に向かって延出している。尚、樹脂ばね部１８０の材料は、本体部５１の材料と同じでもよいし、本体部５１の材料とは異なる材料でもよい。また、樹脂ばね部１８０を一体形成した本体部５１は、図４等で示した係合補助部７８の代わりとなる係合補助部材１７８が引出側壁部６１の穴６１ｈに挿入されることにより固定対象係合部６１ａと固定対象との係合が補助されて固定対象に固定されるものとする。
【００５２】
樹脂ばね部１８０を有するフック部５０にスクリーン引掛部２２を引っ掛けると、引掛部２２は開放端６５から最終保持位置Ｐ２の方へ誘導される。すると、最終保持位置Ｐ２において引掛部２２からスクリーン収納方向Ｄ２１への力が樹脂ばね部１８０に加わり、図１１の二点鎖線で示すように末端部１８１を支点として先端部１８２が収納方向Ｄ２１へ動くように樹脂ばね部１８０が弾性変形する。ここで、図９で示したように、比較的引出側のフック部５０に引っ掛けられた引掛部（引掛部２２Ｂとする）は収納方向Ｄ２１へ比較的大きく移動し、比較的収納側のフック部５０に引っ掛けられた引掛部２２（引掛部２２Ａとする）は収納方向Ｄ２１への移動量が比較的小さい。そのため、収納方向Ｄ２１において、比較的引出側のフック部に引っ掛けられる引掛部２２Ｂの設計位置からのずれと、比較的収納側のフック部に引っ掛けられる引掛部２２Ａの設計位置からのずれと、の差が少なくなる。従って、本変形例も、複数のフック部に引っ掛けられるスクリーンの傾きを抑制することが可能である。
【００５３】
尚、樹脂ばね部１８０から引掛部２２に加わる反発力は、樹脂ばね部１８０の形状、材質、等を変えることにより調整することができる。例えば、樹脂ばね部１８０を厚くすると樹脂ばね部１８０の反発力が強まり、樹脂ばね部１８０を薄くすると樹脂ばね部１８０の反発力が弱まる。
また、図１２（ｂ）に示す変形例のように樹脂ばね部１８０を複数の樹脂ばね部１８０Ａ，１８０Ｂ，１８０Ｃに分割すると、樹脂ばね部１８０の反発力を弱めることができる。この変形例のフック部５０の側面は図１１で示したフック部５０と同様であり、各樹脂ばね部１８０Ａ〜１８０Ｃは折曲部６４と接続した末端部１８１から奥側壁部６２に向かって延出している。
【００５４】
尚、引掛部を引出端に有するスクリーン、スクリーンを収納方向へ付勢する巻取部、及び、弾性部を有する複数のフック部があれば、ケース等が無い巻取装置でも、本発明の基本的な効果が得られる。
【００５５】
（４）結び：
以上説明したように、本発明によると、種々の態様により、複数のフック部に引っ掛けられるスクリーンの傾きを抑制することが可能な巻取装置等の技術を提供することができる。むろん、従属請求項に係る構成要件を有しておらず独立請求項に係る構成要件のみからなる技術でも、上述した基本的な作用、効果が得られる。
また、上述した実施形態及び変形例の中で開示した各構成を相互に置換したり組み合わせを変更したりした構成、公知技術並びに上述した実施形態及び変形例の中で開示した各構成を相互に置換したり組み合わせを変更したりした構成、等も実施可能である。本発明は、これらの構成等も含まれる。
【符号の説明】
【００５６】
１…巻取装置、
１０…スクリーン、１１…本体部分、１１ａ，１１ｂ…縁部、１２…一端、１３…他端、
２０…引出端、２１…ガーニッシュ、２２，２２Ａ，２２Ｂ…引掛部、２５…操作部、
３０…巻取部、３１…筒状部、３５…付勢部、４０…ケース、４０ａ…引出口、
５０，５０Ａ，５０Ｂ…フック部、５１…本体部、
６０…主部材、６１〜６３…壁部、６１ａ…固定対象係合部、６１ｈ…穴、
６４…折曲部、６５…開放端、６６…凹部、６７…挿通部、
７０…副部材、７１…挿入基部、７２…弾性部材取付部、７８…係合補助部、
８０…弾性部、８１…弾性部材、８２…折返し部、８３…固定部、
８５…可動部、８６…凸部、
１００…自動車、１０１…固定対象、１０４…フレーム、
１７８…係合補助部材、
１８０，１８０Ａ〜１８０Ｃ…樹脂ばね部、１８１…末端部、１８２…先端部、
Ｄ１…軸方向、Ｄ２…ガーニッシュの長手方向、Ｄ３…スクリーンの厚み方向、
Ｄ２１…収納方向、Ｄ２２…引出方向、Ｄ２３…弾性部材挿入方向、
Ｄ２４…副部材挿入方向、Ｄ２５…弾性部材固定部の幅方向、
Ｐ１…スクリーンの引出端に沿う位置、Ｐ２…最終保持位置、Ｐ３…途中位置。
【図１】
2016112937.tif 000003
【図２】
2016112937.tif 000004
【図３】
2016112937.tif 000005
【図４】
2016112937.tif 000006
【図５】
2016112937.tif 000007
【図６】
2016112937.tif 000008
【図７】
2016112937.tif 000009
【図８】
2016112937.tif 000010
【図９】
2016112937.tif 000011
【図１０】
2016112937.tif 000012
【図１１】
2016112937.tif 000013
【図１２】
2016112937.tif 000014
【図１３】
2016112937.tif 000015